(57)【要約】      （修正有）【課題】看板などの表現媒体に発光素子を容易に取り付け、そのメリットを有効に発揮させる照明具を提供する。【解決手段】発光素子１０と発光素子用ソケット２０とを一組以上備える。発光素子用ソケット２０の開口から発光素子１０の樹脂モールド部１１を突出させ、充填部２４で、リードフレーム１３とリード線３１とを結線した半田部分３２をモールドして、防水処理を行い、発光素子用ソケット２０に発光素子１０を固定する。発光素子用ソケット２０を看板の板材５１に設けた取付孔に差し込んで、照明具１を板材５１に取り付けて、看板を構成する。これにより、発光素子からの光の照射範囲が広がる。【選択図】図４
2007305578.tif 000002
【特許請求の範囲】
【請求項１】
発光素子と発光素子用ソケットとを一組以上備えた照明具であって、
上記発光素子用ソケットが、中空状の基体と、該基体の一端部で全周に亘って内側に延出して開口を形成した掛止部と、を備え、
上記発光素子の樹脂モールド部が上記掛止部の開口から突出して該樹脂モールド部のフランジ部で該掛止部の裏面に当接され、上記基体の中空に樹脂が充填固化されて上記発光素子用ソケットに上記発光素子が保持されてなることを特徴とする、照明具。
【請求項２】
発光素子と発光素子用ソケットと該発光素子用ソケットの底部を覆うキャップとを一組以上備えた照明具であって、
上記発光素子用ソケットが、中空状の基体と、該基体の一端部で全周に亘って内側に延出して開口を形成した掛止部と、上記基体の他端部に設けたキャップ係止用の受け部と、を備え、
上記発光素子の樹脂モールド部が上記掛止部の開口から突出して該樹脂モールド部のフランジ部で該掛止部の裏面に当接され、上記基体の中空に樹脂が充填固化されて上記発光素子用ソケットに上記発光素子が保持され、上記受け部に上記キャップが装着されてなることを特徴とする、照明具。
【請求項３】
前記発光素子用ソケットの基体外壁にフランジ部が形成されてなることを特徴とする、請求項１又は２に記載の照明具。
【請求項４】
前記発光素子用ソケットの基体は、径の異なる中空円筒基部を連接してなることを特徴とする、請求項１又は２に記載の照明具。
【請求項５】
前記発光素子用ソケットの基体外周壁には、該発光素子用ソケットが差し込まれる表示板の取付孔の側壁と係合する突起が形成されていることを特徴とする、請求項１又は２に記載の照明具。
【発明の詳細な説明】
【技術分野】
【０００１】
本発明は、発光ダイオード素子などの発光素子を光源とし、文字や図形などの情報を表示した看板などの表現媒体に装着される照明具に関する。
【背景技術】
【０００２】
従来、店頭などに看板を取り付け、この看板に店名やその店に関する情報を呈示している。その中で、看板の縁部に複数の発光ダイオード素子を配置することで、発光ダイオード素子から照射される光により夜間でも人目を引くようにし、看板に表示された情報を視認し易くしているものがある。また、文字や図案自体を発光ダイオード素子で表示した看板も知られている。
【０００３】
図１５は従来の発光ガイオードを用いた照明具２００を模式的に示す図、図１６は看板の板材５１に照明具２００が取り付けられた状態での断面図である。従来の照明具２００は、図１５に示すように、砲弾型の発光ダイオード素子２１０をリード線２２０で直列に配線し、配線の一部に所定の電圧降下を生じるよう抵抗素子２３０を介在させ、リード線２２０の両端を図示しない電源に接続している。発光ダイオード素子２１０は、チップの周囲をエポキシ樹脂などでモールドして構成され、発光側と逆側に、ハウジング端子部２４０が別途設けられ、リード線２２０と結線されている。そして、看板の板材５１には、所望位置に発光ダイオード素子２１０の樹脂モールド部２１１の外径と同程度の取付孔が複数設けられ、各取付孔に発光ダイオード素子２１０の樹脂モールド部２１１が板材５１の裏面から嵌め込まれ、取付孔から発光ダイオード素子２１０が脱落しないように樹脂モールド部２１１の外周と取付孔の壁面とを接着剤で接着している。
【発明の開示】
【発明が解決しようとする課題】
【０００４】
しかしながら、図１５及び図１６に示す従来の照明具２００では、発光ダイオード素子２１０の樹脂モールド部２１１の後端部から裏側に露出した電極端子が露出するので、屋外耐候性を要する看板に照明具を装着するには、シリコンコーキングなどの防水処理を施す必要があった。特に、看板の板材５１の縁に沿って発光ダイオード素子２１０を装着する場合には、発光ダイオード素子２１０の数も多くなり、一つ一つの発光ダイオード素子２１０の電極にハウジング端子部２４０を取り付け、リード線２２０を圧着端子で圧着して配線することは手間が掛かる。
さらに、図１５及び図１６に示すような従来の照明具２００では、発光ダイオード素子２１０の樹脂モールド部２１１に奥行きがあるため、発光ダイオード素子２１０を表面に十分な長さで突出させることができないことから、板材５１の取付孔の位置で光を照射することになってしまう。よって、図１６に示すように取り付けられた発光ダイオード素子２１０のチップを外部から見たとき観察できる範囲は狭く、発光ダイオード素子２１０から照射される範囲も狭くなる。特に、頭上に配置されることの多い看板では、発光ダイオード素子２１０から照射される光が視界に入り難く、看板に発光ダイオード素子２１０を取り付けても人に注目され難くメリットを有効活用できない、という課題がある。
【０００５】
本発明は、上記の点に鑑み、看板などの表現媒体に発光素子を容易に取り付けることができ、さらに、表現媒体に発光素子を取り付けるメリットを有効に発揮させる、照明具を提供することを目的とする。
【課題を解決するための手段】
【０００６】
上記目的を達成するために、本発明の第１の構成は、発光素子と発光素子用ソケットとを一組以上備えた照明具であって、発光素子用ソケットが、中空状の基体と、基体の一端部で全周に亘って内側に延出して開口を形成した掛止部と、を備え、発光素子の樹脂モールド部が掛止部の開口から突出して樹脂モールド部のフランジ部で掛止部の裏面に当接され、基体の中空に樹脂が充填固化されて発光素子用ソケットに上記発光素子が保持されてなる。
また、本発明の第２の構成は、発光素子と発光素子用ソケットと該発光素子用ソケットの底部を覆うキャップとを一組以上備えた照明具であって、発光素子用ソケットが、中空状の基体とこの基体の一端部で全周に亘って内側に延出して開口を形成した掛止部と基体の他端部に設けたキャップ係止用の受け部と、を備え、発光素子の樹脂モールド部が掛止部の開口から突出して樹脂モールド部のフランジ部で掛止部の裏面に当接され、基体の中空に樹脂が充填固化されて発光素子用ソケットに発光素子が保持され、受け部にキャップが装着されてなることを特徴とする。
上記構成において、好ましくは、発光素子用ソケットの基体外壁にフランジ部が形成される。発光素子用ソケットの基体は、径の異なる中空円筒基部を連接してなる。発光素子用ソケットの基体外周壁には、発光素子用ソケットが差し込まれる表示板の取付孔の側壁と係合する突起が形成されている。
【０００７】
本発明の照明具は、発光素子用ソケットに発光素子を差し込んで発光素子用ソケットの中空に樹脂などを充填して防水構造に構成されるので、発光素子の防水処理と発光素子用ソケットへの発光素子の固定とを同時に行うことができる。また、照明具を看板などの表現媒体に装着する際に、発光素子用ソケットを例えば看板などに設けた取付孔に差し込むことにより、発光素子を看板の表面に十分な高さで突出させることができる。これにより、発光素子からの光が看板などの表現媒体に効率よく照射され、看板を発光素子で照射するメリットを有効に発揮させることができる。
また、発光素子用ソケットにおける底部側の受け部にキャップが装着されることで、その製作工程において、発光素子用ソケット内に充填した樹脂が固化するまで発光用ソケットから液状の樹脂が流れ出ないように維持しておく作業も不要となる。
【発明の効果】
【０００８】
本発明によれば、発光素子のリードフレームとリード線とを接続し、発光素子を発光素子用ソケットに挿入して、発光素子用ソケットの開口から発光素子の樹脂モールド部を突出させ、発光素子用ソケット内を樹脂でモールドするので、発光素子の接続配線の防水処理が施され、しかも、発光素子を発光素子用ソケットに確実に固定することができる。よって、この発光素子用ソケットを看板などの表現媒体へ取り付ける作業のみで、表現媒体に照明具を装着することができる。発光素子用ソケットにキャップを装着することで、本照明具を製造する際に、発光素子用ソケットに流し込んだ樹脂が固化しなくても、次の作業、例えば別の発光素子用ソケットに発光素子を保持させる作業を行うことができ、照明具の作製を円滑に行える。照明具を表現媒体に取り付けた際、キャップを装着していることで、防水効果もより高まり、また見た目にもよい外観を呈する。さらに、発光素子用ソケットを看板などの表現媒体の取付孔に挿入して発光素子を看板から表側に十分に突出するように取り付けたり、発光素子用ソケットを取付具に挟持し取付具を表現媒体に取り付けたりすることで、発光素子からの光の照射範囲が広がり表現媒体上の文字や図形などの情報を効率よく照らす。よって、情報が視認でき易くまた目立つようになり、表現媒体による看板機能や宣伝機能を有効に発揮させることができる。
【発明を実施するための最良の形態】
【０００９】
以下、図面を参照しながら、本発明の実施形態を説明する。なお、同一又は対応する部材には同一の符号を用いる。
図１は、本発明の実施形態に係る照明具１を示す概略図である。この実施形態に係る照明具１は、発光ダイオードなどの発光素子１０と、その発光素子用ソケット２０とを一以上備え、発光素子１０をリード線などの配線３０で接続して構成される。発光素子１０の接続は図１のように直列接続してもよいし、並列接続や直並列の組合せでもよい。
【００１０】
図２は、図１の照明具１の要部を示す断面図である。発光素子１０は、好適には９０°〜１２０°の広角の発光ダイオード素子を用いる。これにより、発光素子１０から照射される光の領域を広げることができる。発光素子１０の樹脂モールド部１１は、発光ダイオードチップを透光性樹脂でモールドして形成されるが、背景技術で説明したような照射方向に長い砲弾型を用い得るほか、図２に示すように略半球状のドーム型を有効に用いることができる。樹脂根元部１２はドーム型の樹脂モールド部１１の径より寸法を大きくすることで鍔１２ａが形成される。発光素子１０の樹脂根元部１２から後方にリードフレーム１３が延出されている。
【００１１】
図３（Ａ）は図２に示す発光素子用ソケット２０の平面図、（Ｂ）はその断面図である。発光素子用ソケット２０は、図３に示すように、略円筒中空状の基体２１と、その基体２１の前端部２１ａで全周に亘って内側に延出して開口２２ａを形成した掛止部２２とを備えている。発光素子用ソケット２０は基体２１と掛止部２２とをＡＢＳ樹脂で一体成形してなる。掛止部２２は、基体２１の中空に発光素子挿入口２３から発光素子１０を挿入し、開口２２ａから半球状の樹脂モールド部１１を突出させ、樹脂根元部１２の鍔１２ａを掛止部２２の裏面に当接して引掛けるためのものである（図２参照）。
【００１２】
基体２１は、第１中空円筒部２１ｂと第２中空円筒部２２ｃとを結合部２２ｄで結合してなる。即ち、基体２１は発光素子２１を差し込むことができるよう発光素子２１の樹脂根元部１２の外形寸法と同程度か外形寸法より僅かに大きい内径を有する第１中空円筒部２１ｂと、この第１中空円筒部２１ｂの後端部から外方向に延設された結合部２１ｄと、この結合部２１ｄの外周端部から後方に延設された第２中空円筒部２１ｃとで構成されている。
【００１３】
第１中空円筒部２１ｂは、図３（Ｂ）に示すように、掛止部２２側にはテーパー部２１ｅが形成され、このテーパー部２１ｅで掛止部２２側になるにつれて外径が小さくなっている。これは、照明具１を看板などに取り付ける際に、発光素子用ソケット２０を看板の取付孔に差し込み易くするためである。第１中空円筒部２１ｂのテーパー部２１ｅの前端部から内方向に延設した掛止部２２により開口２２ａが形成されている。開口２２ａは発光素子１０の樹脂モールド部１１の外形と同程度か又は僅かに大きい径を有し、発光素子１０の樹脂根元部１２の外形寸法より小さい径を有している。また、第１中空円筒部２１ｂには、テーパー部２１ｅの後端と結合部２１ｂとの間で、結合部２１ｂから所定距離離れた位置に取付用係止部２１ｆが形成されている。この取付用係止部２１ｆは、第１中空円筒部２１ｂでテーパー部２１ｅ側の外径を、第１中空円筒部２１ｂで結合部２１ｄ側の外径より僅かに大きくすることで形成することができる。この取付用係止部２１ｆを設けることにより、看板などの板材に設けられた取付孔に発光素子用ソケット２０を差し込んで照明具１を取り付ける際に、取付用係止部２１ｆが板材表面に引っ掛かり、板材の取付用孔から発光素子用ソケット２０が外れないようにすることができる。さらに、第１中空円筒部２１ｂにおいて、取付用係止部２１ｆより第２中空円筒部２１ｃ側の外周壁には、突起を形成することが好ましい。突起の断面形状には、波状、三角波状や鋸羽状などを挙げることができる。この突起により、看板の取付孔に第１中空円筒部２１ｂが板材の裏面から差し込まれた際、取付孔を形成する壁面と係合し取付孔から発光素子用ソケット２０が脱離し難くなる。なお、基体２１の後端には、第２中空円筒部２１ｃで発光素子挿入口２３が形成される。
【００１４】
次に、発光素子１０の発光素子用ソケット２０への取り付け及び照明具１の作製方法について説明する。
先ず、発光素子１０のリードフレーム１３にリード線３１を半田付けする。
そして、発光素子用ソケット２０の発光素子挿入口２３から発光素子１０を挿入し、発光素子１０の樹脂根元部１２の鍔１２ａを発光素子用ソケット２０の掛止部２２の裏面に当接させて、発光素子１０の樹脂モールド部１１を開口２２ａから突出させる。
続いて、発光素子用ソケット２０の発光素子挿入口２３からリード線３１を出した状態で、発光素子用ソケット２０の中空に樹脂を封入して固化させ、充填部２４とする。これにより、発光素子１０を発光素子用ソケット２０に固定することができる。
この一連の作業により、図２に示すように、発光素子１０の樹脂モールド部１１を発光素子用ソケット２０の開口２２ａから突出させて、充填部２４で発光素子１０を発光素子用ソケットに固定する。充填部２４は、発光素子１０の樹脂根元部１２から延出したリードフレーム１３と半田部分３２とをシールドするので、完全防水とし漏電を防ぐことができる。さらに、この一連の作業を繰り返すことにより、図１に示すように、発光素子用ソケット２０に取り付けた発光素子１０を所定数直列接続し、必要に応じて抵抗素子４０を介在させて配線し、配線３０の両端部に接続用コネクター４５をそれぞれ接続することにより、本発明の照明具１とすることができる。
【００１５】
ここで、照明具１を複数用意し、第１の照明具の配線両端部に接続した各接続用コネクターと第２の照明具の配線両端部に接続した各接続コネクターとをそれぞれ接続して一つの照明具とすることにより、発光素子の数を増やすこともできる（図１参照）。配線は、リード線を縄状に編み込むなどすることにより、リード線が一つのループ状にならず、照明具の取り付けを容易に行うことができる。
【００１６】
次に、このように構成した照明具の使用形態について説明する。
図４は、図１に示す照明具１を看板５０に取り付けた状態を示す断面図である。看板５０は、アルミ複合板などの板材５１表面に所定の文字や図形などの情報がペンキで描かれて作製される。板材５１の所定位置に照明具１の発光素子用ソケット２０を取り付けるための取付孔が複数穿設される。この取付孔に発光素子用ソケット２０を差し込んで発光素子用ソケット２０を嵌め込み、照明具１を板材５１に装着することにより、看板５０を構成する。即ち、先ず、板材５１の裏側から取付孔に発光素子用ソケット２０を強制的に差し込む。このとき、第１中空円筒部２１ｂがテーパー部２１ｅにより差し込み易くなっている。次に、取付孔より僅かに大きい外径を有する取付用係止部２１ｆまでを嵌入し、更に、発光素子用ソケット２０を差し込んで、取付用係止部２１ｆを取付孔から板材５１の表側に突出させることで、板材５１の表面に取付用係止部２１ｆが係合する。よって、第１中空円筒部２１ｂの長さが板材５１の厚みより長いことにより、発光素子１０を看板５０の表側に十分な高さで突き出すことができる。
【００１７】
以上の手順で看板５０に照明具１を取り付けることで、図４に示すように、看板５０の表側で板材５１表面から所定距離離れた位置に発光素子１０が配置されるので、発光素子１０の視野角度が広くなり、看板を見る者からも、発光素子１０の発光部の見える範囲が広くなり、看板５０に表現された文字などの情報を視認させることができる。また、発光素子１０を、例えば視野角１１０°のように広角の発光ダイオード素子とすることで、看板５０に表現された情報を視認させ易くすることができ、宣伝広告としての機能を十分に発揮させることができる。
【００１８】
次に変形例を示す。
図５は、本発明の実施形態である照明具の変形例を示す断面図であり、看板の板材５１に取り付けられた状態で示している。図６は、図５に示す照明具を構成する発光素子用ソケット２５を示す図で、（Ａ）はその平面図、（Ｂ）はその断面図である。図５及び図６に示す形態は、発光素子用ソケット２５の点で図１乃至図４に示す形態と異なるが、発光素子用ソケット２５に発光素子１０を取り付けて、図１に示すように、一組以上配線で結合する点は同じである。
【００１９】
発光素子用ソケット２５は、図５及び図６に示すように、略中空円筒状の基体２６と、その基体２６の前端部で全周に亘って内側に延出して開口２７ａを形成した掛止部２７とを備えている。発光素子用ソケット２５は基体２６と掛止部２７とをＡＢＳ樹脂で一体成形してなる。基体２６は、その外周壁に、第１フランジ２６ａと第２フランジ２６ｂが外方向に向けて延出して形成されている。発光素子用ソケット２５は、掛止部２７を後方側になるにつれて外径が大きくなるようテーパー状にし、その後方側に基体２６を一体成形されている。基体２６の前端部から第１フランジ２６ａまでの外周壁には、突起２６ｃが略同心円状に形成されている。突起２６ｃの断面形状は、図示するように断面鋸羽状の他、断面波状や断面三角形状であってもよい。突起２６ｃは、図示するように複数形成されることが好ましい。図５に示すように、看板の板材５１に形成した取付孔に発光素子用ソケット２５を差し込むことで板材５１に照明具を装着した場合に、取付孔を形成する壁面５１ａと突起５１ｃとが係合し、これにより、取付孔から発光素子用ソケット２５が脱離し難くなる。必要に応じて、第１フランジ２６ａの上面や突起２６ｃを形成した基体外周壁と板材５１との間に接着剤を介在させてもよい。
なお、図３に示す発光素子用ソケット２０と同様、発光素子用ソケット２５は、基体２６の内壁で発光素子挿入口２８が形成され、掛止部２７で開口２７ａが形成されている。よって、先ず発光素子１０を発光素子挿入口２８から挿入して開口２７ａから樹脂モールド部１１を突出させ、次に発光素子用ソケット２５の中空に樹脂を充填することで、発光素子用ソケット２５へ発光素子１０を固定する。充填部２４は、図２の場合と同様、発光素子１０のリードフレーム１３と配線３１とを接続する半田部分３２を防水し漏電を防止する。
【００２０】
ここで、図５に示すように、照明具を、看板５０の板材５１に形成した取付孔に差し込むことで板材５１に装着する場合には、基体２６の第１フランジ２６ａは、基体２６の掛止部２７の前端から第１フランジ２６ｃまでの距離が板材５１の厚みより長いことが必須となるが、第２フランジ２６ｂは形成されていなくてもよい。これにより、発光素子１０を看板５０の表側に突き出すようにして、照明具を看板５０に装着することができる。
【００２１】
次に、看板などの表現媒体への照明具の取り付け形態の変形例を説明する。
図７は、変形例の照明具２を取付具６０に装着する形態を示す模式図で、（Ａ）は装着前の状態を示す模式図、（Ｂ）は装着後の状態を示す模式図である。表示媒体へ照明具２を取り付ける際には、先ず図７（Ａ）に示すように、発光素子用ソケット２５を可撓性の取付具６０に取り付ける。取付具６０は、帯体６１に間隔を開けて一対の取付用フック６２ａ，６２ｂを複数対向してなる。取付具６０は樹脂などで帯体６１と取付用フック６２ａ，６２ｂが一体成形されている。一対の取付用フック６２ａ，６２ｂは帯体６１と逆側に嵌込口６３を形成する。図７（Ａ）に矢印で示すように、嵌込口６３から発光素子用ソケット２５の基体２６が嵌め込まれ、一対の取付用フック６２ａ，６２ｂが発光素子用ソケット２５の基体２６を挟持する。これにより、図７（Ｂ）に示すように、取付具６０に照明具２が取り付けられる。
【００２２】
図８は図７（Ｂ）の取付具６０を表現媒体７０に取り付ける手順を示す図で、（Ａ）は取り付ける表現媒体７０の表側から見た斜視図、（Ｂ）は取り付ける表現媒体７０の裏側から見た斜視図、（Ｃ）は表現媒体７０の裏側に照明具２が取り付けられた状態を示す斜視図である。
図８に示す表現媒体７０は、建物壁面８０と間隔を開けて複数のアンカー材８１で支持されることで、建物壁面８０に取り付けられる。表現媒体７０は、図示したように漢字の「平」を例えば発泡スチロールなどの素材で立体的に形成されている。表現媒体７０の裏側は、図８（Ｂ）に示すように、凹部７１が形成され、凹部７１において表面と対向する壁面にはアンカー材８１の受け部７２を備え、アンカー材８１の一端部が挿入される。
このような表現媒体７０に図７（Ｂ）に示す取付具６０を装着する。即ち、図８（Ｃ）に示すように、表現媒体７０の裏側の凹部７１の内側に沿って取付具６０を接着テープなどで接着して取り付ける。これにより、取付具６０に取り付けた照明具２の発光素子１０から光が照射され、照射光が建物壁面８０から反射されたり、表現媒体７０の輪郭に亘って照らしたりすることで、表現媒体７０を目立たせる。よって、表現媒体７０に照明具２を装着することで、表現媒体７０を夜間でも視認し易くし広告媒体や宣伝媒体の機能を十分発揮させることができる。
なお、図８（Ｂ）及び（Ｃ）とは異なり、表現媒体７０の裏側に凹部が形成されていない場合には、発光素子が視認できるよう、立体的に形成されている表現媒体の外周縁に沿って取付具６０を取り付けてもよい。
【００２３】
次に、別の変形例を示す。
図９は本発明の実施形態である照明具の変形例を示す断面図で、看板の板材５１に取り付けられた状態で示している。図９に示す形態は、図１乃至４に示す形態並びに図５及び図６に示す形態と、発光素子９０及び発光素子用ソケット９５の形態の点で異なるが、発光素子用ソケット９５が発光素子９０の樹脂モールド部９１を突出させて保持する点、中空の発光素子用ソケット９５内に樹脂を充填することにより、充填部９８が発光素子９０とリード線３１との接続をシールドする点、一組以上配線で接続する点は同じである。
【００２４】
発光素子９０は、図９に示すように、発光ダイオードチップを透光性樹脂でモールドした樹脂モールド部９１と、樹脂モールド部９１の後端側には外径を広くすることで鍔９２ａが形成された樹脂根元部９２とを備え、樹脂根元部９２から後側にカソード及びアノード電極の各リードフレーム９３が延設されている。樹脂モールド部９１は、図示するように、発光ダイオードからの光が照射される方向に長い砲弾型である。なお、図１乃至４に示す形態並びに図５及図６に示す形態と異なり、図９に示す発光素子は、視野角度が例えば６０°の発光ダイオード素子を挙げることができる。発光素子用ソケット９５は、中空円筒形状の基体９６と、基体９６の前端部が開口を形成するように全周に亘って内側に延設した掛止部９７と、を備える。発光素子用ソケット９５は、基体９６と掛止部９７とをＡＢＳ樹脂などで一体成形されてなる。
【００２５】
次に、発光素子９０の発光素子用ソケット９５への取り付け方法について説明する。先ず、発光素子９０のリードフレーム９３とリード線３１とを半田付けで接続する。次に、発光素子用ソケット９５の基体９６の裏側の発光素子挿入口から挿入し、掛止部９７を形成した開口から突出させる。このとき、発光素子用ソケット９５の掛止部９７裏面に発光素子９０の樹脂根元部９２の鍔９２ａが当接する。続いて、基体９２内にエポキシ樹脂などの充填材を充填し、充填材が固化されることで、発光素子用ソケット９５で発光素子９０を保持する。これにより、発光素子９０のリードフレーム９３とリード線３１とを接続する半田部分３２を含めて防水処理が行われる。
【００２６】
次に、図９に示す照明具の看板への取り付けについて説明する。照明具の発光素子９０を看板の板材５１に形成した取付孔に差し込み、発光素子用ソケット９５の掛止部９７を板材５１の裏面に当接させる。発光素子９０の樹脂モールド部外周壁と板材５１の取付孔との壁面とを接着剤などを用いて固定する。このとき、掛止部９７の表面と板材５１の裏面とを接着剤で固定してもよい。よって、発光素子を看板に取り付ける際に発光素子の配線処理や防水処理を個別に行う必要がなく、発光素子９０を看板の板材５１へ容易に装着することができる。
【００２７】
さらに別の変形例を説明する。ここで説明する変形例は、前述した発光素子用ソケット２０，２５，９５において基体２１，２６，９６の発光素子挿入口２３，２８側に受け部を設けておき、本照明具を製造する際に、樹脂を充填させた後に受け部にキャップを装着することで、発光素子挿入口２３，２８を封じることを可能にする。これで、発光素子用ソケット２０，２５，９５内に充填した樹脂が固化するまで発光用ソケット２０，２５，９５から液状の樹脂が流れ出ないように維持する必要もないので、次の作業を行うことができ、作業効率が向上し見た目にもよい外観を呈する。また、受け部に被蓋することで電気回路に対して防水・防湿効果を一層高めることができる。以下、図５及び６に示した形態の場合を特に説明するが、図２及び図３に示す形態並びに図９に示す形態の場合でも同様である。
【００２８】
図１０は、本発明の実施形態である照明具の変形例を示す断面図であり、看板５１に取り付けられた状態を示している。図１１は、図１０に示す照明具における発光素子用ソケット１１０を示す図で、（Ａ）はその断面図、（Ｂ）はその側面図、（Ｃ）は底面図である。図１２は図１０に示す照明具のキャップ１２０を示し、（Ａ）はその断面図、（Ｂ）はその平面図である。図１０乃至図１２に示す形態は、図５に示す発光素子用ソケット２５のみで発光素子１０を保持するのではなく、発光素子用ソケット１１０と蓋１２０とで発光素子１０を保持する、所謂発光素子保持具１１０を構成する点で異なる。なお、前述の他の形態と同様、発光素子用ソケット１１０及びキャップ１２０に発光素子１０を取り付けて、図１に示すように、一組以上配線で結合する点は同じである。
【００２９】
発光素子用ソケット１１０は、図１０及び図１１に示すように、略中空円筒状の基体１１１と、その基体１１１の一端部としての前端部１１１ａで全周に亘って内側に延出して開口１１２ａを形成した掛止部１１２と、基体１１１の他端部としての底部で全周に亘って係止部１１３ｂを形成した受け部１１３とを備えている。発光素子用ソケット１１０は基体１１１と掛止部１１２と受け部１１３とを例えばＡＢＳ樹脂で一体成形してなる。
【００３０】
基体１１１は、その外周壁に、第１フランジ１１１ａと第２フランジ１１１ｂとがそれぞれ外方向に向けて延出して有している。第１フランジ１１１は基体１１１の前後端からの中心よりやや前端部１１１ａ側に設けられ、第２フランジ１１１ｂは基体１１１の前後端からの中心よりやや後端部側に設けられる。第２フランジ１１１ｂは、基体１１１の後端部における受け部１１３まで延設されている。受け部１１３は、第２フランジ１１１ｂの端部に設けられ、後述するキャップ１２０を装着する装着部１１３ａと、後端から僅かに引っ込んだ位置に全周上に亘って窪みを有する係止部１１３ｂとで構成されている。第２フランジ１１１ｂと受け部１１３とに跨って左右にリード線挿通口１１４ａ及び１１４ｂが設けられている。
【００３１】
図６に示す発光素子用ソケット２５と同様、発光素子用ソケット１１０は前端部１１１ａ側で掛止部１１２を後方側になるにつれて外径が大きくなるようテーパー状にし、その後方側に基体１１１を一体成形されている。基体１１１の前端部１１１ａから第１フランジ１１１ａまでの外周壁には、図５及び図６の場合と同様、図示しない突起が略同心円状に形成されていることが好ましい。基体１１１の内壁で発光素子挿入口１１４が形成され、掛止部１１２で開口１１２ａが形成されている。なお、掛止部１１２は本形態のように外周がテーパー状になっている必要はない。
【００３２】
キャップ１２０は、装着される発光素子用ソケット１１０の形状に合わせて円盤状の底部１２１と、底部１２１の周縁部から立設された側壁部１２２とで構成されている。側壁部１２２は、発光素子用ソケット１１０における受け部１１３の装着部１１３ａに合わせて底部１２１から遠ざかるにつれて内径を拡げた内周側部１１２ａと、受け部１１３の係止部１１３ｂに嵌合する係止部１１２ｂとを有している。
なお、発光素子用ソケット１１０における受け部１１３とキャップ１２０とが螺合するよう、螺子山が刻設されていてもよい。
【００３３】
図１０乃至図１２に示す形態では、先ず発光素子１０を発光素子挿入口１１４から挿入して開口１１２ａから樹脂モールド部１１を突出させ、次に発光素子用ソケット１１０の中空に樹脂を充填し、キャップ１２０を発光素子用ソケット１１０の受け部１１３に装着することで、発光素子用ソケット１１０へ発光素子１０を固定する。即ち、発光素子用ソケット１１０の他端部としての底部に受け部１１３を設け、キャップ１２０を装着することで、発光素子１０を発光素子用ソケット１１０及びキャップ１２０で保持することができる。図示した場合では、発光素子１０のリードフレーム１３と配線３１との間には、抵抗素子やコンデンサーその他の電気電子部品１４ａ，１４ｂ，１４ｃ及び配線１５を介在させて半田付けを行い、充填部２４は、電気電子部品１４ａ，１４ｂ，１４ｃ及び配線１５並びにこれらの接続部分を埋設して防水することで漏電を防止する。また、リード線３１，３１は発光素子用ソケット１１０のリード線挿通口１１４ａ及び１１４ｂに挿通することで、発光素子用ソケット１１０の外部に取り出し可能となる。
【００３４】
なお、図１０乃至図１２に示す形態においても、発光素子１０を発光素子保持具１００に発光素子１０を保持させることを繰り返し、リード線３１で接続することで、照明具１３０（図１３（Ｂ）参照）とすることができる。
【００３５】
図１３は図１０に示す照明具の使用形態について説明したもので、（Ａ）は看板５０において板材５１に装着した場合の断面図、（Ｂ）は図７とは異なる取付具１３０に装着する場合の平面図、（Ｃ）は更に別の取付具１４０に装着した場合の平面図、（Ｄ）は（Ｃ）に示す場合の側面図である。
図１３（Ａ）に示す使用形態は、図５に示す場合と同様、発光素子保持具１００に保持させた発光素子１０を接続してなる照明具を、看板５０の板材５１に形成した取付孔に差し込むことで板材５１に装着しても、発光素子１０を看板５０の表側に突き出すことができる。図１３（Ａ）ではリード線を省略している。
【００３６】
図１３（Ｂ）に示す使用形態は、図７に示す取付具６０とは異なる取付具１３５に装着した場合を示している。表示媒体へ照明具２を取り付ける際には、先ず図１３（Ｂ）に示すように、発光素子保持具１００を可撓性の取付具１３５に取り付ける。取付具１３５は、取付具本体としての帯体１３６に間隔を開けて上下一対の取付用フック１３７を複数有する。取付具１３５は樹脂等で帯体１３６と取付用フック１３７が一体成形されている。一対の取付用フック１３７，１３７は帯体１３６と逆側に嵌込口１３８を形成する。取付具１３５の最も右側において示した矢印のように、上下の取付用フック１３７の間の嵌込部に、発光素子用ソケット１１０の基体１１１における第１フランジ１１１ａ及び第２フランジ１１１ｂの間が嵌め込まれ、一対の取付用フック１３７により発光素子用ソケット１１０の基体１１１が挟持される。これにより、図１３（Ｂ）で左側に示すように、取付具１３５に照明具１３０が取り付けられる。
以上のように取付具１３５に取り付けられた照明具１３０は、例えば図８と同様に、表現媒体に装着される。なお、可撓性の取付具１３５は、上下一対の取付用フック１３７を一又は複数有するが、上下一対の取付用フック１３７は使用する際に、鋏などの裁断具でカットして用いても良い。図７に示した場合でも同様である。この取付具１３５は一又は複数の上下一対の取付用フック１３７を有するが、取付用フックが発光素子用ソケット１１０を保持するに十分な厚みがあれば一対設ける必要は必ずしもなく、一つの取付用フックで一つの発光素子用ソケット１１０を保持するようにしてもよい。
【００３７】
図１３（Ｃ）及び（Ｄ）に示す使用形態では、照明具１３０における発光素子用ソケット１１０毎に図１４に示す取付具１４０が左右それぞれに装着され、形状自在に任意の表現媒体に形状自在に装着されることができる。図１４は、図１３（Ｃ）及び（Ｄ）に示す取付具１４０を示しており、（Ａ）は平面図、（Ｂ）は正面図、（Ｃ）は底面図、（Ｄ）は左側面図、（Ｅ）は右側面図である。取付具１４０は基体１４１と基体１４１の左右側に外向きに嵌込口１４２Ａ，１４２Ｂを有する取付用フック１４２ａ，１４２ｂとを備え、基体１４１は発光素子用ソケット１１０を挟んで隣り合う別の取付具１４０における取付用フック１４２ａ，１４２ｂを逃がすための切り欠き部１４３ａ，１４３ｂを備えている。
【００３８】
具体的には、基体１４１は、略矩形状の平面部１４１ａと、この平面部１４１ａにおける前後端部から垂直に立ち下がった前後の側壁部１４１ｂ，１４１ｃと、平面部１４１ａの左端部から垂直に立ち下がった第１の左側壁部１４１ｄと、第１の左側壁部１４１ｄの下端で取付用フック１４２ａを挟んで僅かに左寄りに設けられた第２の左側壁部１４１ｅと、平面部１４１ａの右端部から取付用フック１４２ｂを挟んで垂直に立ち下がった第１の右側壁部１４１ｆと、第１の右側壁部１４１ｆの下端で平面部１４１ａに平行な連結部（図示せず）を介して第２の右側壁部１４１ｇとを備え、取付用フック１４２ａ，１４２ｂと一体成形されてなる。取付用フック１４２ａ，１４２ｂは、内周面が湾曲した挟み部１４２ｃを一対備え、平面部１４１ａ及び前後左右の各側壁部１４１ｂ〜１４１ｇで基体１４１の裏側に凹み部１４３を形成している。
【００３９】
発光素子用ソケット１１０における第１フランジ１１１ａと第２フランジ１１１ｂ（図１１参照）の間を挟むことで、発光素子用ソケット１１０が保持される。図示した形態では第２の左側壁部１４１ｅ及び第２の右側壁部１４１ｇは何れも、挟み部１４２ｃと同様に前後中心の側面が半円状に湾曲しており、前後中心軸上にはリード線３１を挿通するためのリード線挿通口１４１ｈ，１４１ｉが設けられている。これで、発光素子１０同士を電気配線するリード線３１をリード線挿通口１４１ｈ，１４１ｉに挿通し、照明具１３０及び取付具１４０からリード線３１が露出しないようにすることができる。
【００４０】
基体１４０における平面部１４１ｉにはほぼ前後左右の中心に取付用穴１４１ｊが設けられ、基体１４０裏側の凹み部１４３に穴壁部１４１ｋが延設されている。よって、取付用穴１４１ｊに螺子（図示せず）を挿入して任意の表現媒体に取り付けることができる。その際、第１の左側壁部１４１ｄが第２の左側壁部１４１eより内側に設けられ、第１の左側壁部１４１ｄと取付用フック１４２aとで切り欠き部１４３aが画成されているので、発光素子用ソケット１１０を挟んで隣り合う別の取付具１４０における取付用フック１４２ｂの先端部が一部入り込むことができる。同様に、第１の右側壁部１４１ｆが第２の右側壁部１４１ｇより内側に設けられ、第１及び第２の左側壁部１４１ｆ，１４１ｇと取付用フック１４２ｂとで切り欠き部１４３ｂが画成されているので、発光素子用ソケット１１０を挟んで逆に隣り合う別の取付具１４０における取付用フック１４２aの先端部が一部入り込むことができる。よって、図３（Ｃ）及び（Ｄ）に示すように、発光素子保持具１００における発光素子用ソケット１１を左右の取付具１４０で保持させることを繰り返しても、直線状にならず、任意の曲線を描かせることができる。
取付具１４０は、図示した場合に限らず、基体１４１の形状を任意に変更することができる。
【００４１】
本発明の実施形態において説明したように、発光素子１０，９０と発光素子用ソケット２０，２５，９５，１１０とを一組以上備えた照明具１，２，１３０は、例えば図８に示した表現媒体７０の周縁に沿って配設されるところ、例えば発光ダイオードの端子１３、９３に抵抗を取り付け、発光素子用ソケット２０，２５，９５，１１０に嵌め込み、これらを複数組配線接続したものを用意しておく。実際に表現媒体７０へ配設する際、その配設位置のサイズや寸法に応じて鋏でカットし、図７や図１３に示すような取付具６０，１３５，１４０に取り付けて表現媒体７０に設置する。本実施の形態の場合には照明具１，２，１３０のみを取り替えてメインテナンスを容易に行うことができる。従って、本発明に係る照明具を取付具６０，１３５，１４０に取り付けた取付具付き照明具では、表現媒体への取り付けやメインテナンスの面で非常に有利である。取付具は照明具の発光素子用ソケットが取り付けられる形態であればよく、例えば図７や図１３（Ｂ）に示すように取付具６０，１３５は、取付具本体としての帯体６１，１３６のように帯状に限らず、例えば断面Ｌ字状でその一方の壁面に図７や図１３（Ｂ）に示すような取付用フック６２ａ,６２ｂ，１３７ が取り付けられた形態であってもよい。その場合には一方の壁面又は他方の壁面に両面テープなどの粘着部材で図８に示す表現媒体７０やその他の表現媒体の所定の位置に取り付けることができる。
【００４２】
以上の説明では、照明具は看板などの表現媒体に装着される場合を説明したが、特許請求の範囲に記載した発明の範囲を逸脱しない範囲において、様々な形態で実施することができる。例えば、照明具は、看板や各種の表示板に適用され得るほか、所謂クリスマスツリーのような装飾具にも装着することができる。
【図面の簡単な説明】
【００４３】
【図１】本発明の実施形態に係る照明具を示す概略図である。
【図２】図１に照明具の要部を示す断面図である。
【図３】（Ａ）は図２に示す発光素子用ソケットの平面図、（Ｂ）はその断面図である。
【図４】図１に示す照明具を看板に取り付けた状態を示す断面図である。
【図５】本発明の実施形態である照明具の変形例を示す断面図である。
【図６】図５に示す照明具を構成する発光素子用ソケットを示す図で、（Ａ）はその平面図、（Ｂ）はその断面図である。
【図７】変形例の照明具を取付具に装着する形態を示す模式図で、（Ａ）は装着前の状態を示す模式図、（Ｂ）は装着後の状態を示す模式図である。
【図８】図７（Ｂ）の取付具を表現媒体に取り付ける手順を示す図であり、（Ａ）は取り付ける表現媒体の表側から見た斜視図、（Ｂ）は取り付ける表現媒体の裏側から見た斜視図、（Ｃ）は表現媒体の裏側に照明具が取り付けられた状態を示す斜視図である。
【図９】本発明の実施形態である照明具の変形例を示す断面図である。
【図１０】発明の実施形態である照明具の変形例を示す断面図である。
【図１１】図１０に示す照明具における発光素子用ソケットを示し、（Ａ）はその断面図、（Ｂ）はその側面図、（Ｃ）は底面図である。
【図１２】図１０に示す照明具のキャップを示し、（Ａ）はその断面図、（Ｂ）はその平面図である。
【図１３】図１０に示す照明具の使用形態についての説明図で、（Ａ）は看板において板材に装着した場合の断面図、（Ｂ）は図７とは異なる取付具に装着する場合の平面図、（Ｃ）は更に別の取付具に装着した場合の平面図、（Ｄ）は（Ｃ）に示す場合の側面図である。
【図１４】図１３（Ｃ）及び（Ｄ）に示す取付具を示し、（Ａ）は平面図、（Ｂ）は正面図、（Ｃ）は底面図、（Ｄ）は左側面図、（Ｅ）は右側面図である。
【図１５】従来の照明具を示す概略図である。
【図１６】図１５に示す従来の照明具を看板に装着した場合の断面図である。
【符号の説明】
【００４４】
１，２，１３０  照明具
１０，９０  発光素子
１１，９１  樹脂モールド部
１２，９２  樹脂根元部
１２ａ，９２ａ  鍔
１３，９３  リードフレーム
１４ａ，１４ｂ，１４ｃ  電気電子部品
１５，３０  配線
２０，２５，９５，１１０  発光素子用ソケット
２１，２６，９６，１１１，１４１  基体
２１ａ，１１１ａ  前端部
２１ｂ  第１中空円筒部
２１ｃ  第２中空円筒部
２１ｄ  結合部
２１ｅ  テーパー部
２１ｆ  取付用係止部
２２，２７，９７，１１２  掛止部
２２a，２７ａ，１１２ａ  開口
２３，２８，１１４  発光素子挿入口
２４，９８  充填部
２６ａ，１１１ａ  第１フランジ
２６ｂ，１１１ｂ  第２フランジ
２６ｃ  突起
３１    リード線
３２    半田部分
４０    抵抗素子
４５    接続用コネクター
５０    看板
５１    板材
５１ａ  壁面
６０，１３５，１４０    取付具
６１，１３６    帯体
６２ａ，６２ｂ，１３７，１４２ａ，１４２ｂ  取付用フック
６３，１３８，１４２Ａ，１４２Ｂ    嵌込口
７０    表現媒体
７１    凹部
７２    受け部
８０    建物壁面
８１    アンカー材
１００  発光素子保持具
１１３  受け部
１１３ａ  装着部
１１３ｂ，１１２ｂ  係止部
１１４ａ，１１４ｂ  リード線配線口
１２０  キャップ
１２１  底部
１２２  側壁部
１２２ａ  内周側部
１４１ａ  平面部
１４１ｂ，１４１ｃ  側壁部
１４１ｄ，１４１ｅ  左側壁部
１４１ｆ，１４１ｇ  右側壁部
１４１ｈ，１４１ｉ  リード線挿通口
１４１ｊ  取付用穴
１４１ｋ  穴壁部
１４２ｃ  挟み部
１４３  凹み部
１４３ａ，１４３ｂ  切り欠き部
【図１】
2007305578.tif 000003
【図２】
2007305578.tif 000004
【図３】
2007305578.tif 000005
【図４】
2007305578.tif 000006
【図５】
2007305578.tif 000007
【図６】
2007305578.tif 000008
【図７】
2007305578.tif 000009
【図８】
2007305578.tif 000010
【図９】
2007305578.tif 000011
【図１０】
2007305578.tif 000012
【図１１】
2007305578.tif 000013
【図１２】
2007305578.tif 000014
【図１３】
2007305578.tif 000015
【図１４】
2007305578.tif 000016
【図１５】
2007305578.tif 000017
【図１６】
2007305578.tif 000018